(57)【特許請求の範囲】
【請求項１】
機器を収容することが可能な機器収容部を挟んで対向配置された一組の側板と、
前記一組の側板の端面を覆う天板と、
前記側板に固定されており、前記天板の前記機器収容部に面する部分を覆い、前記天板の前記側板側の面に当接して前記天板の撓みを防止する補強板と
を備えるキッチンキャビネット。
【請求項２】
前記補強板は、折り曲げられた金属板である
請求項１に記載のキッチンキャビネット。
【請求項３】
前記補強板は、前記天板の一面に接触する平面部と、
前記平面部の縁から前記天板と反対側に伸びる固定部と、
前記固定部を貫通する固定孔とを備える
請求項１または請求項２に記載のキッチンキャビネット。
【請求項４】
前記側板は、前記固定孔に対応する貫通孔を備え、
前記貫通孔と前記固定孔とを貫通して、前記側板と前記補強板とを固定する固定部材を備える
請求項３に記載のキッチンキャビネット。
【発明の詳細な説明】
【技術分野】
【０００１】
本発明は、キッチンキャビネットに関する。
【背景技術】
【０００２】
流し台、コンロ台等を備えるキッチンキャビネットに、食器洗浄乾燥機等の機器を組み込む場合がある。キャビネットの天板の下面に食器洗浄乾燥機を保持する取付枠を設けた、食器洗浄乾燥機付き流し台が提案されている。
【先行技術文献】
【特許文献】
【０００３】
【特許文献１】特開平１１−２９９５５５号公報
【発明の概要】
【発明が解決しようとする課題】
【０００４】
特許文献１に記載の食器洗浄乾燥機付き流し台は、キャビネットの天板に食器洗浄乾燥機の蓋を設ける。そのため、調理時の作業台として使用できる範囲が狭くなっていた。
【０００５】
一つの側面では、作業台として使用できる平らな部分が広いキッチンキャビネットを提供することを目的とする。
【課題を解決するための手段】
【０００６】
本発明にかかるキッチンキャビネットは、機器を収容することが可能な機器収容部を挟んで対向配置された一組の側板と、前記一組の側板の端面を覆う天板と、前記側板に固定されており、前記天板の前記機器収容部に面する部分を覆い、前記天板の前記側板側の面に当接して前記天板の撓みを防止する補強板とを備える。
【０００７】
本発明においては、機器収容部に収容される機器と天板との間に隙間が空いている場合であっても天板の下面は補強板により支えられる。そのため、機器収容部の上部に重量物を載せた場合および硬いものを切るなどの調理作業を行う場合に天板が撓むことを防止することができる。したがって、機器収容部の上部を含む天板の広い範囲を、調理時の作業台として使用することができる。
【０００８】
本発明にかかるキッチンキャビネットは、前記補強板は、折り曲げられた金属板である。
【０００９】
本発明においては、補強板を容易に製作することができる。
【００１０】
本発明にかかるキッチンキャビネットは、前記補強板は、前記天板の一面に接触する平面部と、前記平面部の縁から前記天板と反対側に伸びる固定部と、前記固定部を貫通する固定孔とを備える。
【００１１】
本発明においては、平面部の縁が折れ曲がって固定部を形成しているので、強度が高い補強板を提供することができる。
【００１２】
本発明にかかるキッチンキャビネットは、前記側板は、前記固定孔に対応する貫通孔を備え、前記貫通孔と前記固定孔とを貫通して、前記側板と前記補強板とを固定する固定部材を備える。
【００１３】
本発明においては、補強板をキッチンキャビネットに容易に取り付けることができる。
【発明の効果】
【００１４】
作業台として使用できる平らな部分が広いキッチンキャビネットを提供することができる。
【図面の簡単な説明】
【００１５】
【図１】キャビネットの斜視図である。
【図２】キャビネットの分解斜視図である。
【図３】キャビネットの正面図である。
【図４】補強板の斜視図である。
【図５】補強板と左側板とを固定する部分の拡大断面図である。
【発明を実施するための形態】
【００１６】
図１は、キャビネットの斜視図である。図２は、キャビネット１０の分解斜視図である。以下の説明では、各図中に矢印で示す前、後、左、右、上および下のそれぞれの向きを使用する。
【００１７】
キャビネット１０は、台所に設置されるシステムキッチンの構成部材であるキッチンキャビネットの一例である。キャビネット１０は、シンク５１、機器収容部５３、抽斗収容部５８およびコンロ収容部５９を有する。キャビネット１０の上面に、長方形の天板３０が設けられている。キャビネット１０の後方に、奥板２３が設けられている。シンク５１は、上面に開口を有する長方形の箱体である。シンク５１は、底に排水孔５２を有する。排水孔５２は、図示しない配水管に接続される。また、シンク５１には図示しない蛇口および給水管が接続される。シンク５１の下部には、ユーザの要望に応じた仕様の抽斗５７（図３参照）が収容される。
【００１８】
抽斗収容部５８は、左右に抽斗用のスライドレールを備える空間である。抽斗収容部５８には、ユーザの要望に応じた仕様の抽斗５７が収容される。コンロ収容部５９は、たとえばガスコンロを収容可能な空間である。コンロ収容部５９には、それぞれユーザの要望に応じた仕様のコンロおよび抽斗５７が収容される。
【００１９】
機器収容部５３は左側板２１、右側板２２、奥板２３、天板３０およびキャビネット１０が設置された床により囲まれた略直方体の空間である。以後の説明では、左側板２１と右側板２２とを総称して側板２０と記載する場合がある。
【００２０】
図３は、キャビネット１０の正面図である。なお、図３では天板３０の厚さを強調して記載している。図３においては、コンロ収容部５９の上部に、コンロが収容されている。シンク５１の下部、抽斗収容部５８およびコンロ収容部５９の下部に、それぞれ抽斗５７が収容されている。機器収容部５３には、ユーザの要望に応じて選択した機器５４が収容されている。機器５４は、たとえば前面扉型の食器洗い乾燥機である。機器５４は、オーブンレンジまたは冷蔵庫等でも良い。機器５４の上面と天板３０との間に補強板４０が配置されている。
【００２１】
図４は、補強板４０の斜視図である。補強板４０は、たとえば所定の形状に切り抜いた厚さ１．５ミリメートルのステンレス鋼板を折り曲げることにより製作されている。補強板４０は、長方形の平面部４１を有する。平面部４１の左右は下向きに折り曲げられており、その先にＬ字状の固定部４２が左右それぞれ２箇所ずつ設けられている。固定部４２は、それぞれ２個の固定孔４３を有する。
【００２２】
平面部４１の前側に、Ｌ字型の目隠し板４４が形成されている。目隠し板４４は、機器５４の上面と天板３０との間の間隔に対応する高さを有する。目隠し板４４は、中央部に長円形状の６個の通気孔４５を有する。平面部４１の後側に後板４６が形成されている。以上のように補強板４０は、平面部４１の各辺の縁が下向きに折り曲げられた構造である。なお、通気孔４５は長円形状に限定しない。たとえば小さい丸孔または角孔等が列状に並んでいても良い。
【００２３】
図５は、補強板４０と左側板２１とを固定する部分の拡大断面図である。図５は、左側板２１と補強板４０とを固定する部分を示す。左側板２１は、上部にＬ型部２１１を有する。Ｌ型部２１１の上面および平面部４１の上面は、天板３０の下面に接している。
【００２４】
左側板２１は、固定孔４３と対応する位置に貫通孔を有する。左側板２１の貫通孔と固定孔４３とを固定ネジ４８が貫通している。固定ネジ４８は、固定ナット４９により締結されている。以上の構成により、補強板４０と左側板２１とは固定されている。なお、同様の構造により右側板２２と補強板４０とも固定されている。固定ネジ４８は、固定部材の一例である。
【００２５】
固定ナット４９は、溶接等によりあらかじめ固定部４２に取り付けられていても良い。また固定ナット４９を使用する代わりに、固定孔４３の縁にバーリング加工によりねじ部が設けられていても良い。このようにすることにより、図５の左側から固定ネジ４８を差し込んで回転させるだけで、側板２０と補強板４０とを固定することができるので、補強板４０の取付作業を容易にすることができる。
【００２６】
補強板４０と側板２０とを固定した状態で、後板４６は奥板２３の前側に接する状態になる。すなわち、補強板４０の平面部４１は、左側板２１、右側板２２および奥板２３により囲まれた機器収容部５３の上部を覆った状態になる。その後、天板３０をキャビネット１０全体の上面に配置する。なお、平面部４１と天板３０との間に、板状のスペーサを介在させても良い。
【００２７】
補強板４０を取り付けたキャビネット１０の補強板４０の下側に機器５４を挿入し、図示しない電源線、給水管、配水管等を接続することにより、キャビネット１０に機器５４を内蔵したシステムキッチンを提供することができる。
【００２８】
本実施の形態によると、天板３０の下面が補強板４０により支えられているため、天板３０の上に重量物を載せた場合および硬いものを切るなどの調理作業を行う場合に天板３０が撓むことを防止することができる。したがって、機器収容部５３の上部を含む天板３０の広い範囲を、調理時の作業台として使用することができる。
【００２９】
天板３０に薄い板材を使用することもできる。薄い板材を使用することにより天板３０を軽量化することができるので、搬入および設置が容易なキャビネット１０を提供することができる。
【００３０】
キャビネット１０よりも高さが低い機器５４を使用する場合に、目隠し板４４により機器５４の上面と天板３０との間の隙間を隠すことができる。そのため、システムキッチンの見栄えを良くすることができる。また、目隠し板４４に通気孔４５が設けられているため、機器５４が発生する熱等を外部に逃がすことが可能である。
【００３１】
キャビネット１０は、２箇所以上の機器収容部５３を備えても良い。複数の機器収容部５３にそれぞれ異なる機器５４を収容することにより、多機能のシステムキッチンを提供することができる。
【００３２】
実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【００３３】
１０  キャビネット（キッチンキャビネット）
２０  側板
２１  左側板
２１１  Ｌ型部
２２  右側板
２３  奥板
３０  天板
４０  補強板
４１  平面部
４２  固定部
４３  固定孔
４４  目隠し板
４５  通気孔
４６  後板
４８  固定ネジ（固定部材）
４９  固定ナット
５１  シンク
５２  排水孔
５３  機器収容部
５４  機器
５７  抽斗
５８  抽斗収容部
５９  コンロ収容部
【図１】
0006768326.tif 000002
【図２】
0006768326.tif 000003
【図３】
0006768326.tif 000004
【図４】
0006768326.tif 000005
【図５】
0006768326.tif 000006